(57)【要約】  本発明は、印刷プロセスの間に、１つ以上のナローノズルが印刷液を噴出することによる印刷方法、およびかかる方法に適した印刷液に関する。本発明は、紙または文書における耐偽造印刷に特に適する。本発明によれば、印刷液は、蛍光またはリン光を発するように誘導されうるナノ粒子を含む。前記ナノ粒子は、それ自身で、またはドーパントと混合された場合に蛍光またはリン光を誘導しうる小さい結晶性粒子である。個々のドット（10、12）は、前記ナノ粒子を含む印刷液により印刷されうる。ノズル直径に応じて、１〜1000nm、好ましくは300nmの範囲または大いにより小さいサイズにより、非常に狭いインクジェットノズルが塞がれる危険性がない。誘導および蛍光発光周波数範囲は、狭帯域であり、その結果、印刷のセキュリティ制御のために、それぞれの波長特異的誘導または検出が必要とされ、それにより偽造に対する保護が増大する。【特許請求の範囲】
【請求項１】
蛍光またはリン光を発するように誘導されうるナノ粒子を含むことを特徴とする、ナローノズルを介して対象物に噴霧されるよう構成された印刷液機構。
【請求項２】
ナノ粒子がUV-A、UV-BまたはUV-C放射線または可視光により蛍光またはリン光を発するように誘導されうることを特徴とする、請求項１記載の印刷液。
【請求項３】
放射される蛍光またはリン光放射線が不可視周波数範囲にあることを特徴とする、請求項１および２のいずれか記載の印刷液。
【請求項４】
ナノ粒子が、蛍光またはリン光に関する励起周波数範囲および発光周波数範囲を有する少なくとも１種類のドーパントを含むことを特徴とする請求項１〜３いずれか記載の印刷液。
【請求項５】
励起周波数範囲および発光周波数範囲が周波数シフトされることを特徴とする請求項１〜４いずれか記載の印刷液。
【請求項６】
少なくとも１種類のドーパントがランタニドの元素群に割り当てられうることを特徴とする、請求項４および５のいずれか記載の印刷液。
【請求項７】
１つ以上のナローノズルを介して請求項１〜６いずれか記載の印刷液を噴出する工程を含む印刷方法。
【請求項８】
印刷液が複数のナローノズルを介して噴出され、ノズルが印刷液の噴霧／噴霧停止に関して個々にまたは分集団で駆動されることを特徴とする前記請求項記載の印刷方法。
【請求項９】
印刷液が多数のナローノズルを介して噴霧され、ノズルが印刷液の流動時間または強度に関して個々にまたは分集団で駆動されることを特徴とする請求項７または８記載の印刷方法。
【請求項１０】
ピエゾ印刷法であることを特徴とする請求項７〜９いずれか記載の印刷方法。
【請求項１１】
ノズルの駆動が秘密の規則に従うことを特徴とする請求項７〜１０いずれか記載の印刷方法。
【請求項１２】
請求項７〜１１いずれか記載の印刷方法を実行するためのデバイスを含む印刷装置。
【請求項１３】
請求項１〜６いずれか記載の印刷液で印刷されたか、または請求項７〜１１いずれか記載の方法に従って印刷された対象物。
【発明の詳細な説明】
【発明の詳細な説明】
【０００１】
従来技術
本発明は、印刷プロセスの間に１つ以上のナローノズルが印刷液を噴出する印刷方法、およびかかる方法に適した印刷液に基づく。この場合、ナローは、数ミクロンのノズル口直径を意味する。本発明は、特に耐文書偽造印刷の局面に関する。
【０００２】
多くの分野において、偽造コピーに対するセキュリティ印刷に大いに興味がある。紙幣、株券、小切手および価値または身分証明を表す他の紙ならびに他の身分証明書類の作成に特に関係が示される。しかし、偽造に対するセキュリティを増大する刷り込みがまた、CD、コンピューターチップまたは薬剤等の製品が本物であることを確認する証明において増大した程度で適用されている。
【０００３】
偽造に対する保護の１つの既知の方法はグラフィックセキュリティ特徴の使用であり、その目立たなさ、または微細構造のために裸眼により認知されない。従って、特許明細書 DE 197 54 776 A1に開示される方法を用いて、５ミクロン幅までの特に微細な線を有する非常に小さい構造が印刷されうる。
【０００４】
さらに、特許明細書 DE 199 00 856 C2に開示される方法において、裸眼により認められ得ないさらなる二次情報が、例えば、画像点の形状、濃さ、位置またはサイズを変化させることにより、印刷される可視画像にさらに導入される。
【０００５】
しかし、かかる方法は、偽造に対する保護が、印刷物内の特に小さく、かつおそらく同時に隠された構造によって検出性および再現性がより困難になることにあるだけという不利な点を有する。必要な、特に高解像度の特別なプリンターを調達または製造することおよびその運転は、高い技術および財政的支出を意味する。それにもかかわらず、拡大鏡等の単純な光学的拡大手段を用いて、この二次情報は迅速に発見され得、偽造複製品が適切な高解像度プリンターで作製されうる。
【０００６】
さらに、偽造に対するセキュリティが蛍光を発するように誘導されうる有機色素の使用により増大される印刷方法および印刷液が先行技術において公知である。しかし、かかる方法および印刷液は、有機色素が広帯域の吸収スペクトルおよび広帯域の発光スペクトルの両方を有するという不利な点を有する。正確な同定に必要とされる吸収および発光放射線周波数の明確な境界設定が出来ない。結果として、これらの方法および印刷液は、偽造に対する保護に不適切である。
【０００７】
印刷液が、蛍光を発するように誘導され得、数ミクロンの桁数であるミクロ粒子を含む公知の印刷方法および印刷液もまたナローノズルによる印刷に同様に不適切である。これは、直径が約５ミクロンに下げされうるナローノズルの場合、ミクロ粒子により迅速に遮断される可能性が大いにあるからである。
【０００８】
それゆえ、本発明の目的は、印刷に関する偽造に対して改善されたセキュリティを有する、印刷プロセスの間に１つ以上のナローノズルが印刷液を噴出することによる印刷方法、およびかかる方法に適切な印刷液を提供することである。
【０００９】
発明の利点
独立請求項の主題はこの目的を達成する。本発明の印刷液は、蛍光またはリン光を発するように誘導され得、本語法の通り、１〜1000nmの桁数の直径の粒子であり、結晶構造を有するナノ粒子を含む。かかる小粒子の場合、特にそれらが300nm未満のより小さい平均直径を有している場合、印刷プロセスに使用されるナローノズルの遮断の危険性はない。かかるナノ粒子を有する印刷液の使用は、印刷の偽造に対するセキュリティを増大するシンプルな方法であり、特に、蛍光またはリン光を発するように誘導されうるかかる結晶性固体の場合には、耐偽造証明の向上のための吸収および発光放射線(radiation)周波数の十分に明確な境界設定が存在する。意図される適用に応じて、ナノ粒子は、UV-A、UV-BまたはUV-C放射線または可視光線で励起されうる。
【００１０】
本発明は、特にインクジェットにより印刷されうる、ナノ粒子を含有する印刷液により対象物（object）をマーキングすることにより製品保護においてセキュリティの改善を確実にする。
【００１１】
本発明のそれぞれの主題の有利な発展および改善は従属請求項に見出される。
【００１２】
インクジェットプリンターでナノ粒子印刷が可能であることにより、製品保護の新規可能性が提供される。考えられうる偽造から十分な隔たりを作り出すために、インクジェットプリンターでの印刷がドットプリントであるという事実を利用すべきである。目に見える線は、ドットの列からなり、他の印刷方法ではまれな表示方法である。次いで、ナノ粒子が多色印刷プロセスで使用される場合、作製されるドットパターンを模倣することがますます困難になる。従って、１つがナノ粒子で特異的にマークされたドットである３つの異なる個々のドットから画像点を作製させることが可能である。
【００１３】
かかる方法の検出は、好ましくは、非常にシンプルであり、装置にわずかな出費しか課さないはずである。
【００１４】
かかるセキュリティ印刷のために、今日、市販されているデスクトッププリンターがそうであるように、多色印刷法において例えば、リン酸ランタンナノ粒子を含み、無色インクおよび各々別の色を有する２つのインクを利用する、セシウムおよびテルビウム（LaPo4:Ce;Tb）でドープ処理された場合、UV-C（255nm）ランプ下でのみ目に見え、UV-B（336nm）ランプ下で目に見えないセキュリティ特徴を印刷物に取り込ませることができる。
【００１５】
これは、この印刷が有機色素で模倣され得ないことを意味する。なぜなら、有機蛍光色素は、両方の光源下で冷光を発するからである。マイクロ粒子（有機または無機）を用いる偽造は、この場合には同様に妨げられる。なぜなら、マイクロ粒子はインクジェット法、または一般的に印刷インクがナローノズルから噴出される印刷方法により印刷され得ないからである。他の印刷方法を用いて、インクジェットプリンターで作製されたドットパターンを容易に模倣することはできない。公知のピエゾ印刷方法を用いて、プリントヘッドのデザインに応じて、特異的な印刷パターンを作製することもできる。
【００１６】
要約すると、マーキングのセキュリティは、ナノ粒子のサイズおよび物理特性により、ならびにインクジェットプリンターの多色印刷方法におけるナノ粒子の使用により保証される。
【００１７】
本発明は、それゆえ、特に、担体媒体としての印刷に適切な液体に蛍光またはリン光を発するナノ粒子を導入し、そこでナノ粒子を十分に混合することに適し、それゆえ本発明により改変された形態で先行技術による印刷方法を行うか、またはさらに上記で記載されるように、印刷されるセキュリティマーキングの作製に関してさらに印刷方法を改善する。
【００１８】
この場合、特に、その合成が同時係属中の特許出願PCT/DE01/03433に開示されているナノ粒子が使用されうる。
【００１９】
これらは、結晶格子または渦巻き格子（whorl lattice）を有する実質的に金属塩ナノ粒子であり、そのカチオンはカチオン供給源から得られ得、そのアニオンは、アニオン供給源として使用される材料クラスから得られ得、渦巻きまたは格子材料のために、特に、リン酸塩、ハロリン酸塩、ヒ酸塩、硫酸塩、ホウ酸塩、アルミン酸塩、没食子酸塩、ケイ酸塩、ゲルマニウム酸塩、酸化物、バナジウム酸塩、ニオブ酸塩、タンタル酸塩、タングステン酸塩、モリブデン酸塩、ハロゲン化アルカリ、他のハロゲン化物、窒化物、硫化物、セレン化物、スルホセレン化物およびオキシ硫化物からなる群より選ばれる化合物を含ませることが可能である。おそらく存在しうるドーパント(dopant)等は、次いでそれぞれの所望の吸収および発光特性が実行されうるように特異的に選択される。
【００２０】
原則として、ナノ粒子が１つ以上の有色の液体に添加される形態において、本発明の方法はまた、もちろん、「シンプル」な特殊な蛍光効果を達成するために適用されうる。これは、複雑でない様式、具体的には、一般的であり、シンプルに発生されうる、かつさらに比較的広帯域のスペクトル範囲からの放射線、例えば、可視光またはUV-Aでの励起後に認知されうる蛍光発光のため生じる全ての効果を含むと実質的に理解される。それゆえ、この場合、発光効果は、さらなる技術補助なしに容易に目に見えるべきである。この目的のために、対応するセキュリティドープ塗装を有さないナノ粒子、とりわけリンまたはフッ素を含有するものがそれゆえ適切である。
【００２１】
本発明の印刷方法のセキュリティ局面は、ナノ粒子の渦巻物質内に添加される、すなわち内包され、次いで、例えばUV-C光による少なくとも１回の適切な励起後に、後で検出され得る発光を確実に行なう、１つ以上のドーパントにより実質的にもたらされる。したがって、この原理は、検出対象の放射線の波長特異的エネルギー吸収および波長特異的放出に基づく。
【００２２】
結晶格子または、ドーピングの場合の渦巻格子は、一般形ＸＹで表される型の化合物を含み得る。Ｘは、周期表の主族１ａ、２ａ、３ａ、４ａ、副族２ｂ、３ｂ、４ｂ、５ｂ、６ｂ、７ｂまたはランタニド（希土類の元素群）の１種以上の元素のカチオンであり、Ｙは、周期表の主族３ａ、４ａ、５ａ、副族３ｂ、４ｂ、５ｂ、６ｂ、７ｂおよび／または８ｂの１つ以上の元素および／または主族６ａおよび／または７の元素の多原子アニオン、または主族５ａ、６ａまたは７ａの単原子アニオンである。
【００２３】
これらは、特に、リン酸塩、ハロリン酸塩、ヒ酸塩、硫酸塩、ホウ酸塩、アルミン酸塩、没食子酸塩、ケイ酸塩、ゲルマニウム酸、酸化物、バナジウム酸塩、ニオブ酸塩、タンタル酸塩、タングステン酸塩、モリブデン酸塩、ハロゲン化アルキル、他のハロゲン化物、窒化物、硫化物、セレン化物、スルホセレン化物または酸硫化物である。
【００２４】
使用されるドーパントは、主族１ａ、２ａの元素またはＡｌ、Ｃｒ、Ｔｌ、Ｍｎ、Ａｇ、Ｃｕ、Ａｓ、Ｎｂ、Ｎｉ、Ｔｉ、Ｉｎ、Ｓｂ、Ｇａ、Ｓｉ、Ｐｂ、Ｂｉ、Ｚｎ、Ｃｏおよび／またはランタニド元素を含む組から選ばれる１種以上の元素であり得る。
【００２５】
特に、作製のためには、以下の化合物の１つを有するナノ粒子を使用し得る。各場合において、ドーピングに使用される物質は、コロンに続いて記載する：ＬｉＩ：Ｅｕ；ＮａＩ：Ｔｌ；ＣｓＩ：Ｔｌ；ＣｓＩ：Ｎａ；ＬｉＦ：Ｍｇ；ＬｉＦ：Ｍｇ，Ｔｉ；ＬｉＦ：Ｍｇ，Ｎａ；ＫＭｇＦ3：Ｍｎ；Ａｌ2
Ｏ3：Ｅｕ；ＢａＦＣｌ：Ｅｕ；ＢａＦＣｌ：Ｓｍ；ＢａＦＢｒ：Ｅｕ；ＢａＦＣｌ0.5Ｂｒ0.5：Ｓｍ；ＢａＹ2Ｆ8：Ａ（Ａ＝Ｐｒ，Ｔｍ，Ｅｒ，Ｃｅ）；ＢａＳｉ2Ｏ5：Ｐｂ；ＢａＭｇ2Ａｌ16Ｏ27：Ｅｕ；ＢａＭｇＡｌ14Ｏ23：Ｅｕ；ＢａＭｇＡｌ10Ｏ17：Ｅｕ；（Ｂａ，Ｍｇ）Ａｌ2Ｏ4：Ｅｕ；Ｂａ2Ｐ2Ｏ7：Ｔｉ；（Ｂａ，Ｚｎ，Ｍｇ）3Ｓｉ2Ｏ7：Ｐｂ；Ｃｅ（Ｍｇ，Ｂａ）Ａｌ11Ｏ19；Ｃｅ0.65Ｔｂ0.35ＭｇＡｌ11Ｏ19；ＭｇＡｌ11Ｏ19：Ｃｅ，Ｔｂ；ＭｇＦ2：Ｍｎ；ＭｇＳ：Ｅｕ；ＭｇＳ：Ｃｅ；ＭｇＳ：Ｓｍ；ＭｇＳ（Ｓｍ，Ｃｅ）；（Ｍｇ，Ｃａ）Ｓ：Ｅｕ；ＭｇＳｉＯ3：Ｍｎ；３．５ＭｇＯ０．５ＭｇＦ2．ＧｅＯ2：Ｍｎ；ＭｇＷＯ4：Ｓｍ；ＭｇＷＯ4：Ｐｂ；６ＭｇＯ．Ａｓ2Ｏ5：Ｍｎ；（Ｚｎ，Ｍｇ）Ｆ2：Ｍｎ；（Ｚｎ，Ｂｅ）ＳＯ4：Ｍｎ；Ｚｎ2ＳｉＯ4：Ｍｎ；Ｚｎ2ＳｉＯ4：Ｍｎ，Ａｓ；ＺｎＯ：Ｚｎ；ＺｎＯ：Ｚｎ，Ｓｉ，Ｇａ；Ｚｎ３（ＰＯ4）2：Ｍｎ；ＺｎＳ：Ａ（Ａ＝Ａｇ，Ａｌ，Ｃｕ）；（Ｚｎ，Ｃｄ）Ｓ：Ａ（Ａ＝Ｃｕ，Ａｌ，Ａｇ，Ｎｉ）；ＣｄＢＯ4：Ｍｎ；ＣａＦ2：Ｍｎ；ＣａＦ2：Ｄｙ；ＣａＳ：Ａ（Ａ＝ランタニド、Ｂｉ）；（Ｃａ，Ｓｒ）Ｓ：Ｂｉ；ＣａＷＯ4：Ｐｂ；ＣａＷＯ4：Ｓｍ；ＣａＳｏ4：Ａ（Ａ＝Ｍｎ，ランタニド）；３Ｃａ3（ＰＯ4）2．Ｃａ（Ｆ，Ｃｌ）2：Ｓｂ，Ｍｎ；ＣａＳｉＯ3：Ｍｎ，Ｐｂ；Ｃａ2Ａｌ2Ｓｉ2Ｏ7：Ｃｅ；（ＣＡ，Ｍｇ）ＳｉＯ3：Ｃｅ；（Ｃａ，Ｍｇ）ＳｉＯ3：Ｔｉ；２ＳｒＯ．６（Ｂ2Ｏ3）．ＳｒＦ2：Ｅｕ；３Ｓｒ3（ＰＯ4）2．ＣａＣｌ2：Ｅｕ；Ａ3（ＰＯ4）2．ＡＣｌ2：Ｅｕ（Ａ＝Ｓｒ，Ｃａ，Ｂａ）；（Ｓｒ，Ｍｇ）2Ｐ2Ｏ7：Ｅｕ；（Ｓｒ，Ｍｇ）3（ＰＯ4）2：Ｓｎ；ＳｒＳ：Ｃｅ；ＳｒＳ：Ｓｍ，Ｃｅ；ＳｒＳ：Ｓｍ；ＳｒＳ：Ｅｕ；ＳｒＳ：Ｅｕ，Ｓｍ；ＳｒＳ：Ｃｕ，Ａｇ；Ｓｒ2Ｐ2Ｏ7：Ｓｎ；Ｓｒ2Ｐ2Ｏ7：Ｅｕ；Ｓｒ4Ａｌ14Ｏ25：Ｅｕ；ＳｒＧａ2Ｓ4：Ａ（Ａ＝ランタニド，Ｐｂ）；ＳｒＧａ2Ｓ4：Ｐｂ；Ｓｒ3Ｇｄ2Ｓｉ6Ｏ18：Ｐｂ，Ｍｎ；ＹＦ3：Ｙｂ，Ｅｒ；ＹＦ3：Ｌｎ（Ｌｎ＝ランタニド）；ＹＬｉＦ4：Ｌｎ（Ｌｎ＝ランタニド）；Ｙ3Ａｌ5Ｏ12：Ｌｎ（Ｌｎ＝ランタニド）；ＹＡｌ3（ＢＯ4）3：Ｎｄ，Ｙｂ；（Ｙ，Ｇａ）ＢＯ3：Ｅｕ；（Ｙ，Ｇｄ）ＢＯ3：Ｅｕ；Ｙ2Ａｌ3Ｇａ2Ｏ12：Ｔｂ；Ｙ2ＳｉＯ5：Ｌｎ（Ｌｎ＝ランタニド）；Ｙ2Ｏ3：Ｌｎ（Ｌｎ＝ランタニド）；Ｙ2Ｏ2Ｓ：Ｌｎ（Ｌｎ＝ランタニド）；ＹＶＯ4：Ａ（Ａ＝ランタニド，Ｉｎ）；Ｙ（Ｐ，Ｖ）Ｏ4：Ｅｕ；ＹＴａＯ4：Ｎｂ；ＹＡｌＯ3：Ａ（Ａ＝Ｐｒ，Ｔｍ，Ｅｒ，Ｃｅ）；ＹＯＣｌ：Ｙｂ，Ｅｒ；ＬｎＰＯ4:Ｃｅ，Ｔｂ（Ｌｎ＝ランタニドまたはランタニドの混合物）；ＬｕＶＯ4：Ｅｕ；ＧｄＶＯ4：Ｅｕ；Ｇｄ2Ｏ2Ｓ：Ｔｂ；ＧｄＭｇＢ5Ｏ10：Ｃｅ，Ｔｂ；ＬａＯＢｒＴｂ；Ｌａ2Ｏ2Ｓ：Ｔｂ；ＬａＦ3：Ｎｄ、Ｃｅ；ＢａＹｂ2Ｆ8：Ｅｕ；ＮａＹＦ4：Ｙｂ，Ｅｒ；ＮａＧｄＦ4：Ｙｂ，Ｅｒ；ＮａＬａＦ4：Ｙｂ，Ｅｒ；ＬａＦ3：Ｙｂ，Ｅｒ，Ｔｍ；ＢａＹＦ5：Ｙｂ，Ｅｒ；Ｇａ2Ｏ3：Ｄｙ；ＧａＮ：Ａ（Ａ＝Ｐｒ，Ｅｕ，Ｅｒ，Ｔｍ）；Ｂｉ4Ｇｅ3Ｏ12；ＬｉＮｂＯ3：Ｎｄ，Ｙｂ；ＬｉＮｂＯ3：Ｅｒ；ＬｉＣａＡｌＦ6：Ｃｅ；ＬｉＳｒＡｌＦ6：Ｃｅ；ＬｉＬｕＦ4：Ａ（Ａ＝Ｐｒ，Ｔｍ，Ｅｒ，Ｃｅ）；ＧＤ3Ｇａ5Ｏ12：Ｔｂ；ＧＤ3Ｇａ5Ｏ12：Ｅｕ；Ｌｉ2Ｂ4Ｏ7：Ｍｎ，ＳｉＯx：Ｅ���，Ａｌ（０＜ｘ＜２）。
【００２６】
有利には、本発明では、蛍光発光に好適であることが知られているため、以下の化合物の１つを有するナノ粒子を使用し得る：
ＹＶＯ4：Ｅｕ；ＹＶＯ4：Ｓｍ；ＹＶＯ4：Ｄｙ；ＬａＰＯ4：Ｅｕ；ＬａＰＯ4：Ｃｅ；ＬａＰＯ4：Ｃｅ，Ｔｂ；ＺｎＳ：Ｔｂ；ＺｎＳ：ＴｂＦ3；ＺｎＳ：Ｅｕ；ＺｎＳ：ＥｕＦ3；Ｙ2Ｏ3：Ｅｕ；Ｙ2Ｏ2Ｓ：Ｅｕ；Ｙ2ＳｉＯ5；ＳｉＯ2：Ｄｙ；ＳｉＯ2：Ａｌ；Ｙ2Ｏ3：Ｔｂ；ＣｄＳ：Ｍｎ；ＺｎＳ：Ｔｂ；ＺｎＳ：Ａｇ；ＺｎＳ：Ｃｕ；Ｃａ３（ＰＯ4）2：Ｅｕ2+；Ｃａ３（ＰＯ4）2：Ｅｕ2+，Ｍｎ2+；Ｓｒ2ＳｉＯ4：Ｅｕ2+；もしくはＢａＡｌ2Ｏ4：Ｅｕ2+、または、さらに、以下：ＭｇＦ2：Ｍｎ；ＺｎＳ：Ｍｎ；ＺｎＳ：Ａｇ；ＺｎＳ：Ｃｕ；ＣａＳｉＯ3：Ａ；ＣａＳ：Ａ；ＣａＯ：Ａ；ＺｎＳ：Ａ；Ｙ2Ｏ3：ＡまたはＭｇＦ2：Ａ（Ａ＝ランタニド）。
【００２７】
ドーピングとして、互いに所定の相対濃度の２つの元素が有利に含有され得、一方のドーピング元素は、光、特にＵＶ光に対する１つの吸収極大スペクトルを有し、他方のドーピング元素は、第一のドーピング元素の吸収極大の少なくとも４％の距離デルタλ／λである少なくとも１つの極大を有する蛍光放出スペクトルを有する。セリウムおよびテルビウムでドーピングした前記リン酸ランタンは、この一例であり、一方のドーパントはエネルギー吸収体、特にUV光吸収体として作用し、他方は蛍光放出体として作用する。
【００２８】
信頼性試験の困難さの増大、したがって、偽造物に対するセキュリティの増大は、非常に特異的な狭帯域の放射線により励起された場合に放出するドーピングの場合において提供される。放出はまた、さらに、技術的補助、例えば、UV放出またはIR放出によってのみ検出可能である。
【００２９】
本発明の印刷方法は、使用される印刷用インクの１つまたは複数またはすべてと混合されたナノ粒子によっても達成され得ることはいうまでもない。したがって、例えば３色印刷の場合、赤色成分は適切な蛍光ナノ粒子混合物により提供され得る。全体積中の蛍光ナノ粒子の割合が大きいほど、蛍光がより強く、したがって放出される光を検出することがより容易になる。
【００３０】
あるいはまた、画像点は、通常のピクセルベースのカラー印刷法とは異なり、各場合において異なる色の３つの個々の点からのみならず、複数の、例えば、４もしくは５またはそれ以上の数からも作製され得る。
【００３１】
また、高セキュリティマーキングの作製のためにより有利には、秘密パターン配列のピクセル配列を有する特殊なプリンターヘッドを構築し得る。この場合、パターン配列は、例えば４０×４０ドットの面積範囲にわたる。それは、偽造物に対するセキュリティをさらに増大するため、例えば、所定のコード−秘密規則−にしたがって明確に反復または修正され得る。
【００３２】
印刷用液体が複数の狭いノズルから噴霧される本発明の印刷方法によるさらなる進展は、印刷用液体の流れの持続時間または強度に関して個々のノズルまたはノズルの一部を駆動できることである。例えば、ピエゾプリンターヘッドの単一の駆動ノズルにおいて電力駆動電圧を増大することにより、インクの流れを増大することができる。その結果、秘密パターン配列において、対応するピクセル点をより太く描くことができ、これは、セキュリティマーキングのさらなる可能なバリエーションを提示し、したがって、偽造物に対するセキュリティが増大する。
【００３３】
保護対象の製品における該セキュリティ特徴の有用性に関する適切な戦略に応じて、個々の特徴において選択的に存在する各場合の効果を利用することができるように、前述のセキュリティ手段のそれぞれを互いに組み合わせ得る方法もまた選択され得る。
【００３４】
本発明の例示的態様を図面に示し、以下の記載においてより詳細に説明する。
【００３５】
例示的態様の記載
図において、同一の参照符号は、同一または機能的に同一の部品をさす。
【００３６】
図１は、概略にすぎないことを理解されたい一例を示し、左側には斜め上に向いた線、右側には垂直な線の印刷された細部として示す。濃く示した点１０および１２（左側の３つのうちの１つ、右側の４つのうちの１つ）は、それぞれの場合において、おそらく秘密に蛍光を発するナノ粒子を多く含むインク供容器から作製されるべきものである。これらのナノ粒子は小さな結晶性粒子であり、それ自身が、または添加されたドーパントとともに蛍光またはリン光を誘導し得る。個々のドット１０、１２は、特殊な容器から流出してくるナノ粒子含有印刷用液体で印刷され得る。ノズルの直径に応じて、その１〜1000ナノメートル、好ましくは300ナノメートルの領域の直径の小サイズまたはさらにもっとずっと小さい粒径のため、非常に狭いインクジェットノズルの目詰まりのリスクがない。
【００３７】
ピエゾ印刷法のプリンターヘッドなどの特殊なプリンターヘッドのピクセル配列の秘密パターン配列の一例を図２に示す。この場合、パターン配列は、この例において４０×４０ドットの領域範囲にわたる。それは、偽造物に対するセキュリティをさらに増大するため、例えば、所定のコード−秘密規則−にしたがって明確に反復または修正され得る。
【００３８】
パターン配列内の個々の各点を、こんどは、図１に示すように、３倍または４倍画像点に対応させることを意図する。パターンは、適切に何度も反復されれば、プリンターヘッドにおいて繰り返し存在し得る。
【００３９】
マーキング偽造の困難さの増大として挙げられる例は、
偽造するのが困難であり、検出するのが困難である秘密ピクセル配列を有する、サーマルバブルジェット原理に従う、例えば、ピエゾ印刷法またはインクジェット法のためのナノ粒子含有印刷用液体に好適なプリンターヘッド、または
印刷用インク成分のドーピングを、対応するナノ粒子が極めて困難な条件下のみで合成的に作製され得るように選択することである。容易に検出できること、すなわち、マーキングの信頼性を確認できることとして挙げられる例は、
ナノ粒子の放出が、素人、例えば、銀行券の場合は窓口係によって容易に発見され得ることである。これは、銀行券の作製および偽造防止されるべき他の印刷可能な有価証券物品に対して貢献をもたらし得、偽造の発見は、ドーピングに応じて比較的簡単な手段で実証し得る。
【００４０】
本発明を、その好ましい例示的態様を用いて上記したが、本発明はこれらに限定されず、様々に変形し得る。
【００４１】
最後に、従属項の特徴は、互いに独立する限り、請求の範囲に存在する順序でなく互いに実質的に自由に組み合すことができる。
【図面の簡単な説明】
【００４２】
【図１】図１は、本発明の方法の一構成に従って印刷された画像点の列の２つの例を概略的に示す。
【図２】図２は、本発明の方法のさらなる構成に従って印刷されたピクセル配列の秘密配列の例を概略的に示す。
【図１】
2005513198.tif 000002
【図２】
2005513198.tif 000003
【国際調査報告】
2005513198.tif 000004
2005513198.tif 000005
2005513198.tif 000006
2005513198.tif 000007
2005513198.tif 000008
2005513198.tif 000009
2005513198.tif 000010
2005513198.tif 000011
2005513198.tif 000012